(57)【要約】【課題】画像データに不適切な画像処理が施されてしまうことを抑制することができる技術を提供する。【解決手段】本発明の画像処理装置は、外部装置から出力された画像データを取得する取得手段と、画像処理パラメータの値を設定する設定手段と、前記取得手段で取得された画像データに、前記画像処理パラメータの設定値を用いた画像処理を施す画像処理手段と、画像処理対象の画像データの出力源である外部装置が変更されたか否かを判断する判断手段と、を有し、前記判断手段で、画像処理対象の画像データの出力源である外部装置が変更されたと判断された場合に、前記設定手段は、前記画像処理パラメータの設定値を初期値にリセットする。【選択図】図２
2015088885.tif 000002
【特許請求の範囲】
【請求項１】
外部装置から出力された画像データを取得する取得手段と、
画像処理パラメータの値を設定する設定手段と、
前記取得手段で取得された画像データに、前記画像処理パラメータの設定値を用いた画像処理を施す画像処理手段と、
画像処理対象の画像データの出力源である外部装置が変更されたか否かを判断する判断手段と、
を有し、
前記判断手段で、画像処理対象の画像データの出力源である外部装置が変更されたと判断された場合に、前記設定手段は、前記画像処理パラメータの設定値を初期値にリセットする
ことを特徴とする画像処理装置。
【請求項２】
前記設定手段は、ユーザ操作に応じて前記画像処理パラメータの値を設定する
ことを特徴とする請求項１に記載の画像処理装置。
【請求項３】
外部装置から出力された画像データを取得する複数の取得手段と、
前記複数の取得手段のいずれか１つを選択する選択手段と、
をさらに有し、
前記画像処理手段は、前記選択手段が選択した取得手段で取得された画像データに前記画像処理を施し、
前記判断手段は、前記選択手段が選択する取得手段が変更された場合に、画像処理対象の画像データの出力源である外部装置が変更されたと判断する
ことを特徴とする請求項１または２に記載の画像処理装置。
【請求項４】
前記画像処理手段は、画像処理対象の画像データに、前記画像処理と、付加データを付加する付加処理とを施し、
前記判断手段は、画像処理対象の画像データに前記付加データが付加されていた場合に、画像処理対象の画像データの出力源である外部装置が変更されたと判断する
ことを特徴とする請求項１〜３のいずれか１項に記載の画像処理装置。
【請求項５】
前記付加データは、前記画像処理が実行済みであることを示す処理完了データを含む
ことを特徴とする請求項４に記載の画像処理装置。
【請求項６】
前記付加データは、前記画像処理装置を示す識別データを含む
ことを特徴とする請求項４または５に記載の画像処理装置。
【請求項７】
前記付加データは、前記画像処理装置で設定可能なパラメータの設定値を含む
ことを特徴とする請求項４〜６のいずれか１項に記載の画像処理装置。
【請求項８】
前記画像処理装置で設定可能なパラメータは、前記画像処理パラメータを含む
ことを特徴とする請求項７に記載の画像処理装置。
【請求項９】
前記画像処理装置で設定可能なパラメータは、前記画像処理パラメータ以外のパラメータを含む
ことを特徴とする請求項７または８に記載の画像処理装置。
【請求項１０】
画像処理対象の画像データが一時的に取得されなかった非取得期間を検出する検出手段をさらに有し、
前記判断手段は、前記検出手段で前記非取得期間が検出された場合に、画像処理対象の画像データの出力源である外部装置が変更されたと判断する
ことを特徴とする請求項１〜９のいずれか１項に記載の画像処理装置。
【請求項１１】
画像処理対象の画像データが一時的に取得されなかった非取得期間を検出する検出手段をさらに有し、
前記判断手段は、
前記検出手段で前記非取得期間が検出された場合に、画像処理対象の画像データの出力源である外部装置の変更を行ったか否かをユーザに問い合わせ、
画像処理対象の画像データの出力源である外部装置の変更を行ったとユーザが応答した場合に、画像処理対象の画像データの出力源である外部装置が変更されたと判断する
ことを特徴とする請求項１〜９のいずれか１項に記載の画像処理装置。
【請求項１２】
前記検出手段は、画像処理対象の画像データの出力源である外部装置と、前記画像処理装置との接続状態に基づいて、画像処理対象の画像データの出力源である外部装置が前記画像処理装置から一時的に切断された期間を、前記非取得期間として検出する
ことを特徴とする請求項１０または１１に記載の画像処理装置。
【請求項１３】
前記検出手段は、画像処理対象の画像データの入力状態に基づいて、画像処理対象の画像データの入力が一時的に途絶えた期間を、前記非取得期間として検出する
ことを特徴とする請求項１０〜１２のいずれか１項に記載の画像処理装置。
【請求項１４】
前記検出手段は、画像処理対象の画像データの入力状態に基づいて、画像処理対象の画像データの入力が一時的に途絶えた期間のうち、長さが閾値以上の期間を、前記非取得期間として検出する
ことを特徴とする請求項１０〜１２のいずれか１項に記載の画像処理装置。
【請求項１５】
前記検出手段は、前記画像処理装置の電源状態に基づいて、前記画像処理装置の電源が一時的に落とされた期間を、前記非取得期間として検出する
ことを特徴とする請求項１０〜１４のいずれか１項に記載の画像処理装置。
【請求項１６】
画像処理対象の画像データは動画像のデータであり、
前記判断手段は、画像処理対象のフレームの時間位置と直前に画像処理対象とされたフレームの時間位置との差が所定値以上である場合に、画像処理対象の画像データの出力源である外部装置が変更されたと判断する
ことを特徴とする請求項１〜１５のいずれか１項に記載の画像処理装置。
【請求項１７】
前記画像処理手段は、画像処理対象の画像データに、前記画像処理と、画像処理対象の画像データの出力源である外部装置を示す外部装置識別データを削除する削除処理とを施し、
前記判断手段は、画像処理対象の画像データに前記外部装置識別データが付加されていなかった場合に、画像処理対象の画像データの出力源である外部装置が変更されたと判断する
ことを特徴とする請求項１〜１６のいずれか１項に記載の画像処理装置。
【請求項１８】
前記設定手段は、前記画像処理装置の電源が切られるときに、画像処理パラメータの設定値を初期値にリセットする
ことを特徴とする請求項１〜１７のいずれか１項に記載の画像処理装置。
【請求項１９】
前記画像処理が施された画像データを表示装置に表示する表示手段をさらに有し、
前記設定手段は、前記表示装置のキャリブレーションが実行されるときに、画像処理パラメータの設定値を初期値にリセットする
ことを特徴とする請求項１〜１８のいずれか１項に記載の画像処理装置。
【請求項２０】
外部装置から出力された画像データを取得する取得ステップと、
画像処理パラメータの値を設定する設定ステップと、
前記取得ステップで取得された画像データに、前記画像処理パラメータの設定値を用いた画像処理を施す画像処理ステップと、
画像処理対象の画像データの出力源である外部装置が変更されたか否かを判断する判断ステップと、
を有し、
前記判断ステップで、画像処理対象の画像データの出力源である外部装置が変更されたと判断された場合に、前記設定ステップは、前記画像処理パラメータの設定値を初期値にリセットする
ことを特徴とする画像処理装置の制御方法。
【請求項２１】
請求項２０に記載の画像処理装置の制御方法の各ステップをコンピュータに実行させることを特徴とするプログラム。
【発明の詳細な説明】
【技術分野】
【０００１】
本発明は、画像処理装置、画像処理装置の制御方法、及び、プログラムに関する。
【背景技術】
【０００２】
近年の映像制作の現場では、ファイルベース撮影が行われるようになってきた。ファイルベース撮影とは、撮影した画像データとして、ＲＡＷデータもしくはＬｏｇデータといった非圧縮の画像データを保存する撮影方法である。近年、静止画像の撮影だけでなく、動画像の撮影としても、ファイルベース撮影が行われるようになってきた。
ファイルベース撮影の利点は、撮影時にフォーカスと露出だけ調整しておけば、色調整は後から行える点にある。
このため、撮影監督は色調整の要望だけをポストプロダクションに伝えて、詳細な色調整はポストプロダクションに行わせるといった分業体制も確立されている。
【０００３】
ポストプロダクションに色調整の要望を伝える手段としてＡＳＣ（Ａｍｅｒｉｃａｎ  Ｓｏｃｉｅｔｙ  ｏｆ  Ｃｉｎｅｍａｔｏｇｒａｐｈｅｒｓ）−ＣＤＬ（Ｃｏｌｏｒ  Ｄｅｃｉｓｉｏｎ  Ｌｉｓｔ）が広く用いられている。
ＣＤＬ調整（ＡＳＣ−ＣＤＬを用いた色調整）では、ＰＯＷＥＲ、ＳＡＴＵＲＡＴＩＯＮ、ＯＦＦＳＥＴ、ＳＬＯＰＥといったパラメータ（画像処理パラメータ）を用いて、ガンマ値や色が調整される。また、ＣＤＬ調整では、上記パラメータの値が調整される。
以下、各パラメータの値を調整値と呼ぶ。また、表示装置などの機器に設定された調整値を設定値と呼ぶ。
【０００４】
ポストプロダクションには、撮影した画像データに対する色調整の要望を伝える必要がある。そのため、調整値は画像データと対応付けて管理する必要がある。
一般には、画像データと調整値は別々に生成される。そして、調整値と画像データの対応関係はユーザによって管理される。
また、撮影シーンに依って色調整の要望が変わる場合があるので、シーンに応じて調整値を変更する必要もある。
【０００５】
調整値の取り扱いに関する従来技術として、特許文献１，２に開示の技術がある。
特許文献１に開示の技術では、動作モードが調整モードからオートモードに切り替えられたときに、パラメータの設定値がリセットされる。
特許文献２に開示の技術では、複数の調整値（パラメータが互いに等しい複数の調整値）の中から、作業目的に応じた調整値が選択される。
【先行技術文献】
【特許文献】
【０００６】
【特許文献１】特開２０１１−２２３２９６号公報
【特許文献２】特開２０１２−１８９７９０号公報
【発明の概要】
【発明が解決しようとする課題】
【０００７】
従来、撮影した画像データに対する色調整の要望を伝えるためのＣＤＬ（調整値）を生成する際に、撮影用カメラのＶＦ（Ｖｉｅｗ  Ｆｉｎｄｅｒ）に画像データを表示しながらＣＤＬ調整が行われていた。そして、画像データとは別にＣＤＬがファイルとしてポストプロダクションに渡されていた。
しかし、ＶＦの画面サイズは小さく、ＣＤＬ調整がしにくいという課題があった。
そこで、ＣＤＬ調整を実行可能な大型の表示装置が開発されている。
【０００８】
このようなＣＤＬ調整機能を備えた表示装置において想定される使用方法の１つとして、複数の画像データを切り替えて表示する使用方法がある。
しかしながら、そのような使用方法で表示装置を使用した場合に、不適切な画像処理（色調整）が行われてしまうことがある。
【０００９】
一例として、表示装置の入力端子１にカメラのモニター端子を接続し、表示装置の入力端子２に録画装置の出力端子を接続する場合を考える。入力端子１が選択されているときには、カメラから出力される画像データ（撮影した画像データ）が表示装置に表示される。入力端子２が選択されているときには、録画装置から出力された画像データが表示装置に表示される。
入力端子１が選択されている状態でＣＤＬ調整が行われると、ＣＤＬ調整後のパラメータの設定値が記録される。
その後、入力端子１に入力された画像データに対応する調整値が表示装置に設定されている状態で、入力端子２に入力された画像データに表示対象の画像データが切り替えられることがある。その場合、入力端子１に入力された画像データに対応する調整値を用いたＣＤＬ調整（不適切なＣＤＬ調整）が、入力端子２に入力された画像データに対して施されてしまう。
【００１０】
また、ＣＤＬ調整機能を備えた表示装置において想定される使用方法の１つとして、以下の使用方法がある。即ち、ＣＤＬ調整後の画像データをポストプロダクション用の画像データとして外部装置に出力し、ポストプロダクションでの作業結果である画像データを確認のために表示する使用方法がある。この使用方法では、例えば、ポストプロダクションによって行われる録画作業などにおいて、ＣＤＬ調整後の画像データが、編集用画像データ、参照用画像データ、などとして使用される。
このような使用方法で表示装置を使用した場合にも、不適切な画像処理（色調整）が行われてしまうことがある。
【００１１】
具体的には、撮影した画像データに対応する調整値が表示装置に設定されている状態で、ポストプロダクションでの作業結果である画像データに表示対象の画像データが切り替えられることがある。その場合、上記作業結果に対して不適切なＣＤＬ調整が施され、ＣＤＬ調整が２重に施された画像データが表示されてしまう。
【００１２】
特許文献１，２に開示の技術では、作業目的や動作モードに応じて調整値を切り替えることはできるが、上述した課題が解決されるように調整値を自動で変更することはできない。
そして、従来の技術を用いて上記課題を解決するためには、画像処理パラメータの設定値をリセットするリセット操作をユーザが手動で行わなければならず、ユーザの負荷が増してしまう。
【００１３】
本発明は、画像データに不適切な画像処理が施されてしまうことを抑制することができる技術を提供することを目的とする。
【課題を解決するための手段】
【００１４】
本発明の第１の態様は、
外部装置から出力された画像データを取得する取得手段と、
画像処理パラメータの値を設定する設定手段と、
前記取得手段で取得された画像データに、前記画像処理パラメータの設定値を用いた画像処理を施す画像処理手段と、
画像処理対象の画像データの出力源である外部装置が変更されたか否かを判断する判断手段と、
を有し、
前記判断手段で、画像処理対象の画像データの出力源である外部装置が変更されたと判断された場合に、前記設定手段は、前記画像処理パラメータの設定値を初期値にリセットする
ことを特徴とする画像処理装置である。
【００１５】
本発明の第２の態様は、
外部装置から出力された画像データを取得する取得ステップと、
画像処理パラメータの値を設定する設定ステップと、
前記取得ステップで取得された画像データに、前記画像処理パラメータの設定値を用いた画像処理を施す画像処理ステップと、
画像処理対象の画像データの出力源である外部装置が変更されたか否かを判断する判断ステップと、
を有し、
前記判断ステップで、画像処理対象の画像データの出力源である外部装置が変更されたと判断された場合に、前記設定ステップは、前記画像処理パラメータの設定値を初期値にリセットする
ことを特徴とする画像処理装置の制御方法である。
【００１６】
本発明の第３の態様は、上述した画像処理装置の制御方法の各ステップをコンピュータに実行させることを特徴とするプログラムである。
【発明の効果】
【００１７】
本発明によれば、画像データに不適切な画像処理が施されてしまうことを抑制することができる。
【図面の簡単な説明】
【００１８】
【図１】実施例１に係る表示装置と外部装置の一例を示す図
【図２】実施例１に係る表示装置の構成の一例を示すブロック図
【図３】実施例１に係る操作部の一例を示す図
【図４】実施例１に係るＯＳＤ画像の一例を示す図
【図５】実施例１に係る表示装置の動作の一例を示す図
【図６】実施例２に係る表示装置と外部装置の一例を示す図
【図７】実施例２に係る表示装置と外部装置の一例を示す図
【図８】実施例２に係る表示装置の構成の一例を示すブロック図
【図９】実施例２に係る表示装置の動作の一例を示すフローチャート
【図１０】実施例２に係る画像処理前のＳＤＩ信号の構造の一例を示す図
【図１１】実施例２に係る画像処理後のＳＤＩ信号の構造の一例を示す図
【図１２】実施例２に係る画像処理後のＳＤＩ信号の構造の一例を示す図
【図１３】実施例３に係る表示装置の入力端子部分の拡大図
【図１４】実施例３に係る表示装置の動作の一例を示すフローチャート
【図１５】実施例４に係るＳＤＩ信号の構造の一例を示す図
【図１６】実施例４に係るタイムコードの時間変化の一例を示す図
【図１７】実施例５に係るカメラ情報を含むＳＤＩ信号の一例を示す図
【発明を実施するための形態】
【００１９】
＜実施例１＞
本発明の実施例１に係る画像処理装置及びその制御方法について説明する。
なお、以下では、本実施例に係る画像処理装置が表示装置である場合の例を説明するが、本実施例に係る画像処理装置は表示装置に限らない。本実施例に係る画像処理装置は、画像データに画像処理を施す装置であれば、どのような装置であってもよい。例えば、本実施例に係る画像処理装置は、画像処理のみを行う装置であってもよいし、画像データの撮影を行う撮影装置に内蔵されていてもよいし、画像データの録画を行う録画装置に内蔵されていてもよい。
【００２０】
図１は、本実施例に係る表示装置１０２と、その外部装置との一例を示す図である。
図１の例では、表示装置１０２は、カメラ１０１と録画装置１０３に接続されている。
なお、外部機器は、カメラ１０１と録画装置１０３に限らない。例えば、画像データの編集作業で使用される編集装置が表示装置１０２に接続されてもよい。
【００２１】
カメラ１０１は、画像データの撮影を行う撮影装置である。カメラ１０１は、出力端子を有しており、撮影した画像データを出力端子から外部に出力することができる。図１の例では、カメラ１０１の出力端子が表示装置１０２の第１入力端子１０４に接続されており、カメラ１０１の出力端子から出力された画像データ（撮影された画像データ）が、表示装置１０２の第１入力端子１０４に入力される。
【００２２】
録画装置１０３は、画像データの録画を行う装置である。例えば、録画装置１０３は、録画装置１０３に入力された画像データを、必要に応じて画像処理を施し、ＨＤＤ（Ｈａｒｄ  Ｄｉｓｋ  Ｄｒｉｖｅ）もしくはＳＳＤ（Ｓｏｌｉｄ  Ｓｔａｔｅ  Ｄｒｉｖｅ）などの記憶媒体に記録する。録画装置１０３は、入力端子と出力端子を有しており、外部から入力端子に入力された画像データ（必要に応じて画像処理が施された画像データ）を記録媒体に記録し、記録媒体に記録された画像データを出力端子から外部に出力することができる。図１の例では、表示装置１０２の出力端子１０６が録画装置１０３の入力端子に接続されており、表示装置１０２の出力端子１０６から出力された画像データが、録画装置１０３の入力端子に入力される。そして、録画装置１０３の出力端子が表示装置１０２の第２入力端子１０５に接続されており、録画装置１０３の出力端子から出力された画像データが、表示装置１０２の第２入力端子１０５に入力される。
【００２３】
表示装置１０２は、第１入力端子１０４と第２入力端子１０５のいずれか一方を選択し、選択した入力端子に入力された画像データを表示する。即ち、表示装置１０２は、第１入力端子１０４に入力された画像データと、第２入力端子１０５に入力された画像データとを切り替えて表示する。
なお、本実施例では、表示装置１０２の入力端子の数が２つである場合の例を説明するが、入力端子の数は２つより多くてもよい。例えば、表示装置１０２は、５つの入力端子を有していてもよい。そして、表示装置１０２は、５つの入力端子のいずれか１つの入力端子に入力された画像データを表示してもよい。
【００２４】
図２は、表示装置１０２の構成の一例を示すブロック図である。
【００２５】
第１入力端子１０４と第２入力端子１０５は、外部装置から出力された画像データが入力される端子である。換言すれば、第１入力端子１０４と第２入力端子１０５は、外部装置から出力された画像データを取得する。第１入力端子１０４と第２入力端子１０５は、例えば、ＳＤＩ（Ｓｅｒｉａｌ  Ｄｉｇｉｔａｌ  Ｉｎｔｅｒｆａｃｅ）の入力端子であり、コネクタとしてＢＮＣコネクタが用いられる。
【００２６】
セレクタ２０１は、表示装置１０２が有する複数の入力端子のいずれか１つを選択する。具体的には、セレクタ２０１は、第１入力端子１０４と第２入力端子１０５のいずれか一方を選択する。そして、セレクタ２０１は、選択した入力端子で取得された画像データ
をレシーバーに出力する。
【００２７】
レシーバー２０２は、セレクタ２０１から出力された画像データ（ＳＤＩ信号）をデコードする。そして、レシーバー２０２は、デコードされた画像データを出力する。
【００２８】
画像処理部２０３は、入力端子で取得された画像データに、画像処理パラメータの設定値を用いた画像処理を施す。本実施例では、セレクタ２０１が選択した入力端子で取得された画像データ（具体的には、レシーバー２０２でデコードされた画像データ）に画像処理が施される。そして、画像処理部２０３は、画像処理が施された画像データを出力する。画像処理は、色調整処理、解像度変換処理、などである。画像処理パラメータは、ガンマカーブを調整する３Ｄ−ＬＵＴ（３Ｄｉｍｅｎｓｉｏｎ−Ｌｏｏｋ  ｕｐ  Ｔａｂｌｅ）、画像データの色などを調整するＣＤＬパラメータ、などである。ＣＤＬパラメータは、ＰＯＷＥＲ、ＳＡＴＵＲＡＴＩＯＮ、ＯＦＦＳＥＴ、及び、ＳＬＯＰＥを含む。
【００２９】
ＯＳＤ制御部２０４は、ＯＳＤ（Ｏｎ  Ｓｃｒｅｅｎ  Ｄｉｓｐｌａｙ）画像を生成する。ＯＳＤ制御部２０４は、画像処理部２０３から出力された画像データとＯＳＤ画像のデータとを合成し、ＯＳＤ画像が重畳された合成画像データを生成する。そして、ＯＳＤ制御部２０４は、合成画像データを出力する。
なお、ＯＳＤ画像を重畳する処理は必要に応じて行われればよく、画像処理部２０３から出力された画像データがＯＳＤ制御部２０４から出力されてもよい。
【００３０】
ＬＣＤ制御部２０５は、ＯＳＤ制御部２０４から出力された画像データに、ＬＣＤ（Ｌｉｑｕｉｄ  Ｃｒｙｓｔａｌ  Ｄｉｓｐｌａｙ）２０７での表示に対応した画像データへの変換処理を施す。そして、ＬＣＤ制御部２０５は、変換処理が施された画像データを出力する。
【００３１】
ＬＣＤ駆動部２０６は、ＬＣＤ制御部２０５から出力された画像データに応じて、ＬＣＤ２０７を駆動するドライバである。
【００３２】
ＬＣＤ２０７は、ＬＣＤ制御部２０５から出力された画像データを表示する表示パネルである。具体的には、ＬＣＤ２０７は、複数の液晶素子を有する液晶パネルである。そして、ＬＣＤ駆動部２０６によって各液晶素子の透過率などが制御されることにより、ＬＣＤ制御部２０５から出力された画像データが表示される。
なお、表示パネルは液晶パネルに限らない。表示パネルは、有機ＥＬパネルやプラズマパネルであってもよい。
【００３３】
操作部２０８は、表示装置１０２に対するユーザ操作を受け付けるユーザインタフェースである。操作部２０８は、例えば、表示装置１０２のリモコン、表示装置１０２に設けられたボタン、などである。操作部２０８は、ユーザ操作が行われた場合に、当該ユーザ操作を示す操作信号を出力する。
【００３４】
ＣＰＵ２０９は、表示装置１０２が有する各機能部を制御する。本実施例では、ＣＰＵ２０９により、画像処理パラメータの値が設定される。また、ＣＰＵ２０９により、対象画像データの出力源である外部装置が変更されたか否かが判断される。対象画像データは、画像処理部２０３における画像処理対象の画像データである。
なお、画像処理パラメータの値を設定する機能部と、外部装置が変更されたか否かを判断する機能部とは、互いに異なる機能部であってもよい。
【００３５】
メモリ２１０は、各パラメータの設定値を記憶する記憶部である。
【００３６】
イコライザ２１１は、表示装置１０２に入力された画像データ（セレクタ２０１から出力された画像データ）を外部に出力する際に、画像データの周波数特性などを調整する補償回路である。
【００３７】
出力端子１０６は、イコライザ２１１から出力された画像データを外部に出力する端子である。出力端子１０６は、例えば、ＳＤＩ（Ｓｅｒｉａｌ  Ｄｉｇｉｔａｌ  Ｉｎｔｅｒｆａｃｅ）の出力端子であり、コネクタとしてＢＮＣコネクタが用いられる。
【００３８】
なお、画像処理装置は、上述した複数の機能部の全てを有していなくてもよい。例えば、画像処理装置と表示装置が別体の装置である場合には、ＬＣＤ制御部２０５、ＬＣＤ駆動部２０６、ＬＣＤ２０７、などは、画像処理装置に設けられるのではなく、表示装置に設けられてもよい。画像処理装置と表示装置が別体の装置である場合には、画像処理装置は、画像処理が施された画像データを表示装置に表示する表示部を有していてもよい。
【００３９】
以下に、ＣＤＬパラメータの設定値を調整しながら録画装置１０３に画像データを出力する際の、表示装置１０２の動作について説明する。
まず、カメラ１０１から出力された画像データを表示するために、セレクタ２０１で第１入力端子１０４が選択される。
カメラ１０１から出力された画像データは、レシーバー２０２でデコードされる。また、カメラ１０１から出力された画像データは、イコライザ２１１を介して出力端子１０６に入力され、出力端子１０６から出力される。
出力端子１０６から出力された画像データは、録画装置１０３に入力される。
レシーバー２０２でデコードされた画像データは、画像処理部２０３に送られ、画像処理が施される。このとき、ＣＰＵ２０９によって、画像処理パラメータの値が設定されたり、画像処理パラメータの設定値が調整されたりする。本実施例では、ユーザ操作に応じて画像処理パラメータの値が設定される。具体的には、ユーザが操作部２０８を操作することにより、画像処理パラメータの値を設定する設定指示が表示装置１０２に入力される。そして、ＣＰＵ２０９は、上記設定指示に応じて画像処理パラメータの値を設定する。
【００４０】
図３は、操作部２０８の一例を示す図である。
第１ダイヤル３０１はＰＯＷＥＲの設定値を調整するためのダイヤルである。
第２ダイヤル３０２はＳＡＴＵＲＡＴＩＯＮの設定値を調整するためのダイヤルである。
第３ダイヤル３０３はＯＦＦＳＥＴの設定値を調整するためのダイヤルである。
第４ダイヤル３０４はＳＬＯＰＥの設定値を調整するためのダイヤルである。
ダイヤル（ダイヤル３０１〜３０４）を時計回りに回すとパラメータの設定値が増加し、ダイヤルを反時計回りに回すとパラメータの設定値が減少する。
選択操作キー３０６は、上キー、下キー、左キー、右キー、及び、中央キー（決定キー）を含む。選択操作キー３０６は、例えば、ＯＳＤ画像に対する各種操作を行うために使用される。
電源キー３０７は、表示装置１０２本体の電源をオン／オフするためのボタンである。
スイッチ３０５は、入力切り替えスイッチである。スイッチ３０５を押下する度にセレクタ２０１が選択する入力端子が第１入力端子１０４と第２入力端子１０５の間で切り替えられる。
【００４１】
図４は、ＣＤＬパラメータの設定値を調整する際に表示装置１０２が表示するＯＳＤ画像の一例を示す図である。図４は、ＰＯＷＥＲの設定値を調整する際に表示されるＯＳＤ画像の一例を示す。図４のＯＳＤ画像は、例えば、第１ダイヤル３０１を回すユーザ操作に応じて表示される。
パラメータ名称４０１は、調整中のパラメータの種類を文字で示すＯＳＤ画像である。
パラメータバー４０２は、パラメータの設定値の調整可能範囲をグラフィックで示すＯＳＤ画像である。
インジケータ４０３は、パラメータの設定値をグラフィックで示すＯＳＤ画像である。インジケータ４０３は、パラメータバー４０２（設定値の調整可能範囲）の対応位置に表示される。対応位置は、パラメータの設定値に対応する位置である。パラメータの設定値は、インジケータ４０３の表示位置によって示される。
パラメータ値４０４は、パラメータの設定値を数値で示すＯＳＤ画像である。
他のパラメータの設定値が調整される場合にも、同様のＯＳＤ画像が表示される。
【００４２】
ＣＤＬパラメータの設定値を調整する際の表示装置１０２の動作についてより詳細に説明する。図５（Ａ）は、ＣＤＬパラメータの設定値を調整する際の表示装置１０２の動作の一例を示すシーケンス図であり、図５（Ｂ）は、そのような動作の一例を示すフローチャートである。図５（Ａ）の縦軸は時間の経過を表しており、上から下へ向かう方向が時間の経過方向である。
【００４３】
まず、ユーザが操作部２０８を操作すると（Ｓ５０１）、操作部２０８からＣＰＵ２０９へ操作信号Ｃ５０１が送られる。例えば、第１ダイヤル３０１が時計回りに２単位動かされた場合には、ＣＰＵ２０９には“ＰＯＷＥＲ  ＋２”という操作情報が送られる。第１ダイヤル３０１が反時計回りに２単位動かされた場合には、ＣＰＵ２０９には“ＰＯＷＥＲ  −２”という操作情報が送られる。
次に、ＣＰＵ２０９は、操作信号Ｃ５０１から、ダイヤルが時計回り回されたか否かを判断する（Ｓ５０２）。ダイヤルが時計回り回された場合には、Ｓ５０３に処理が進められ、ダイヤルが反時計回り回された場合には、Ｓ５０７に処理が進められる。
【００４４】
Ｓ５０３では、ＣＰＵ２０９が、メモリ２１０にアクセスし、メモリ２１０記憶されているパラメータの設定値を読み出す。具体的には、Ｓ５０１で回されたダイヤルに対応するパラメータの設定値が読み出される。Ｓ５０１で第１ダイヤル３０１が回された場合には、ＰＯＷＥＲの設定値が読み出される。そして、ＣＰＵ２０９は、読み出した設定値にダイヤル操作に応じた値を加算する。例えば、ＣＰＵ２０９に“ＰＯＷＥＲ  ＋２”という操作情報が送られた場合には、ＰＯＷＥＲの設定値に２が加算される。
次に、ＣＰＵ２０９が、Ｓ５０３の加算結果がパラメータの上限値を超えているか否かを判断する（Ｓ５０４）。例えば、Ｓ５０３でＰＯＷＥＲの設定値に２が加算された場合には、ＰＯＷＥＲの設定値に２を加算した値がＰＯＷＥＲの上限値を超えているか否かが判断される。Ｓ５０３の加算結果がパラメータの上限値を超えている場合には、Ｓ５０５に処理が進められ、Ｓ５０３の加算結果がパラメータの上限値以下である場合には、Ｓ５０６に処理が進められる。
Ｓ５０５では、ＣＰＵ２０９が、Ｓ５０１で回されたダイヤルに対応するパラメータの設定値を、当該パラメータの上限値に更新する。その後、Ｓ５１０に処理が進められる。
Ｓ５０６では、ＣＰＵ２０９が、Ｓ５０１で回されたダイヤルに対応するパラメータの設定値を、Ｓ５０３の加算結果に更新する。その後、Ｓ５１０に処理が進められる。
【００４５】
Ｓ５０７では、ＣＰＵ２０９が、メモリ２１０にアクセスし、メモリ２１０記憶されているパラメータの設定値を読み出す。そして、ＣＰＵ２０９は、読み出した設定値からダイヤル操作に応じた値を減算する。
次に、ＣＰＵ２０９が、Ｓ５０７の減算結果がパラメータの下限値を下回っているか否かを判断する（Ｓ５０８）。Ｓ５０７の減算結果がパラメータの下限値を下回っている場合には、Ｓ５０９に処理が進められ、Ｓ５０７の減算結果がパラメータの下限値以上である場合には、Ｓ５０６に処理が進められる。
Ｓ５０９では、ＣＰＵ２０９が、Ｓ５０１で回されたダイヤルに対応するパラメータの設定値を、当該パラメータの下限値に更新する。その後、Ｓ５１０に処理が進められる。
Ｓ５０６では、ＣＰＵ２０９が、Ｓ５０１で回されたダイヤルに対応するパラメータの設定値を、Ｓ５０７の減算結果に更新する。その後、Ｓ５１０に処理が進められる。
【００４６】
Ｓ５１０では、ＣＰＵ２０９が、画像処理で使用する設定値を更新する指示信号Ｃ５０２を画像処理部２０３に送る。それにより、画像処理部２０３で使用される設定値が更新される。また、ＣＰＵ２０９は、更新後の設定値をメモリ２１０に格納する。それにより、メモリ２１０に格納されている設定値が更新される。また、ＣＰＵ２０９は、ＯＳＤ画像を更新する指示信号をＯＳＤ制御部２０４に出力する。それにより、図４で示すＯＳＤ画像の表示（具体的には、インジケータ４０３の表示位置、及び、パラメータ値４０４として表示されている数値）が更新される。画像処理部２０３やＯＳＤ制御部２０４に出力する指示信号としては、例えば、更新後の設定値を示す信号を用いることができる。なお、画像処理部２０３に出力する指示信号と、ＯＳＤ制御部２０４に出力する指示信号は、同じ信号であってもよいし、異なる信号であってもよい。
【００４７】
画像処理部２０３は、最初、メモリ２１０に書き込まれている設定値を読み出して、読み出した設定値を用いた画像処理を行う。その後、ＣＰＵ２０９からの指示信号Ｃ５０２に従って、使用する調整値を更新する。それにより、第１入力端子１０４に入力された画像データは、調整後の設定値を用いた画像処理が施されて、表示される。
【００４８】
次に、録画装置１０３による録画が終了し、録画された画像データを再生して確認する際の、表示装置１０２の動作について説明する。
ユーザは、録画装置１０３に対して、録画された画像データを再生するためのユーザ操作を行う。それにより、録画装置１０３で再生処理が行われる。そして、録画された画像データ（記録媒体に記録された画像データ）が、録画装置１０３から出力され、表示装置１０２に入力される。また、ユーザは、表示装置１０２のスイッチ３０５を押下する入力切り替え操作を行う。それにより、セレクタ２０１で第２入力端子１０５が選択され、表示される。
【００４９】
このとき、録画装置１０３とは異なる外部装置から出力された画像データ用の調整値が表示装置１０２に設定されていることがある。具体的には、カメラ１０１から出力された画像データ用の調整値が表示装置１０２に設定されていることがある。或る外部装置から出力された画像データ用の調整値は、その外部装置から出力された画像データに対する画像処理でのみ使用すべき値であり、他の外部装置から出力された画像データに対する画像処理では使用すべきではない。或る外部装置から出力された画像データ用の調整値を用いた画像処理は、他の外部装置から出力された画像データに対しては不適切な画像処理となってしまう。
【００５０】
そこで、本実施例では、ＣＰＵ２０９は、対象画像データの出力源である外部装置が変更されたか否かを判断する。そして、ＣＰＵ２０９は、対象画像データの出力源である外部装置が変更されたと判断した場合に、画像処理パラメータの設定値を初期値にリセットする。本実施例では、ＣＰＵ２０９は、セレクタ２０１が選択する入力端子が変更された場合に、対象画像データの出力源である外部装置が変更されたと判断する。具体的には、ＣＰＵ２０９は、操作部２０８から入力切り替え信号（入力切り替え操作が行われたことを示す信号）を受信した場合に、対象画像データの出力源である外部装置が変更されたと判断する。入力切り替え信号は、入力切り替え操作が行われたことを示す操作信号であり、入力切り替え操作が行われた場合に操作部２０８から出力される操作信号である。
但し、ここでは、ＣＤＬファイルに記述されたパラメータ（ＣＤＬパラメータ）の設定値のみが初期値にリセットされる。画像全体のガンマカーブを調整する３Ｄ−ＬＵＴの設定値、入力端子ごとに設定される画質モード（ＳＨＡＲＰＮＥＳＳやＢＲＩＧＨＴＮＥＳなど）の設定値、などは初期値にリセットされない。
なお、対象画像データの出力源である外部装置が変更されていないと判断された場合には、画像処理パラメータの設定値が初期値にリセットされずに画像処理が行われる。
【００５１】
画像処理パラメータの設定値を初期値にリセットした後に、ＣＰＵ２０９は、セレクタ２０１に入力切り替え指示を出力する。
セレクタ２０１は、入力切り替え指示に応じて、選択する入力端子を第１入力端子１０４から第２入力端子１０５に切り替える。
それにより、録画装置１０３から出力された画像データを、不適切な画像処理を施さずに表示することができる。具体的には、録画装置１０３から出力された画像データを、画像処理パラメータの初期値を用いた画像処理を施して表示することができる。
【００５２】
以上述べたように、本実施例によれば、対象画像データ（画像処理対象の画像データ）の出力源である外部装置が変更されたか否かが判断される。そして、対象画像データの出力源である外部装置が変更されたと判断された場合に、画像処理パラメータの設定値が自動で初期値にリセットされる。それにより、画像データに不適切な画像処理が施されてしまうことを抑制することができる。また、ユーザが設定値をリセットするという手間を省くことができる。
【００５３】
なお、入力端子ごとにレシーバー、イコライザ、出力端子が設けられていてもよい。そして、複数の入力端子に対応する複数のレシーバーの後段にセレクタ２０１が設けられていてもよい。このような構成にすることによって、画像処理装置から外部に出力される画像データが、セレクタ２０１による選択の影響を受けることを防ぐことができる。具体的には、セレクタ２０１が選択した入力端子以外の入力端子に入力された画像データも外部に出力することができる。
【００５４】
なお、本実施例では、画像処理前の画像データが外部に出力される例を説明したが、画像処理後の画像データが外部に出力されてもよい。画像処理前の画像データと、その画像データ用の調整値とが外部に出力されてもよい。そのような構成とすれば、画像処理装置を用いた画像処理作業の後段の作業（例えば録画作業）を行うユーザに、画像処理作業において画像処理が行われたこと、画像処理作業で行われた画像処理の意図、などを伝えることができる。
【００５５】
なお、画像処理装置の電源が切られるときに、画像処理パラメータの設定値が初期値にリセットされてもよい。具体的には、ユーザが、操作部２０８の電源キー３０７を操作して、表示装置１０２の電源を切る操作を行った場合に、画像処理パラメータの設定値が初期値にリセットされてもよい。画像処理装置の電源をいったん切った後で再度入れた場合、対象画像データの出力源である外部装置が、画像処理装置の電源を切る前から変わっている可能性が高い。そのため、画像処理装置の電源が切られるときに、画像処理パラメータの設定値を初期値にリセットすることが好ましい。
【００５６】
また、表示装置のキャリブレーションが実行されるときに、画像処理パラメータの設定値が初期値にリセットされてもよい。具体的には、ユーザが操作部２０８の選択操作キー３０６を操作して、メニュー画像（ＯＳＤ画像）から輝度、ガンマ、色温度、色域等のキャリブレーションを開始する操作を行った場合に、画像処理パラメータの設定値が初期値にリセットされてもよい。キャリブレーションを行うと、リセット対象のパラメータ（ＣＤＬパラメータ）以外のパラメータの設定値が変わるため、キャリブレーション実行時にはＣＤＬパラメータの設定値をリセットすることが好ましい。
【００５７】
なお、画像処理パラメータの初期値はどのような値であってもよい。例えば、画像処理パラメータの初期値は、画像処理の前後で画像データの値が変化しない値であってもよい
し、そうでなくてもよい。画像処理の前後で画像データの値が変化しない値を初期値とすれば、画像処理による色や輝度の変化を抑制することができ、入力された画像データを正確に表示して確認することができる。
【００５８】
なお、本実施例では、リセットされる画像処理パラメータがＣＤＬパラメータである場合の例を説明したが、ＣＤＬパラメータ以外の画像処理パラメータがリセットされてもよい。特定の画像データに対して使用すべき値が設定される画像処理パラメータであれば、どのような画像処理パラメータの設定値がリセットされてもよい。
【００５９】
なお、本実施例では、ユーザ操作に応じて調整値が設定される例を説明したが、調整値の設定方法はこれに限らない。例えば、調整値を示すデータ（ファイル）を外部から取得し、当該データが示す調整値が設定されてもよい。
【００６０】
＜実施例２＞
実施例２では、１つの入力端子に入力される画像データの出力源である外部装置の変更を検出することができる構成を説明する。
【００６１】
図６，７は、本実施例に係る表示装置６０２と、その外部機器との一例を示す図である。図１と同じ装置には同じ符号を付し、その説明は省略する。図６と図７では、装置間の接続方法が異なる。
【００６２】
ＩＦ−ＢＯＸ６０１は、カメラ１０１と表示装置６０２とを中継するインタフェースボックスである。カメラ１０１は、出力端子としてＳＤＩ端子を有する。カメラ１０１から４Ｋ画像（水平方向４０００画素×垂直方向２０００画素前後の解像度の画像）のデータが出力された場合、４Ｋ画像のデータは、３Ｇ−ＳＤＩのケーブルを４本用いて伝送される。本実施例では、カメラ１０１からはＲＡＷデータもしくはＬｏｇデータが出力される。ＩＦ−ＢＯＸ６０１は、カメラ１０１から出力されたＲＡＷデータもしくはＬｏｇデータを、表示装置６０２で表示可能な画像データに変換する機能を有する。ＩＦ−ＢＯＸ６０１にはＬＵＴ（Ｌｏｏｋ  Ｕｐ  Ｔａｂｌｅ）が予め記録されており、ＬＵＴを用いて表示装置６０２で表示可能な画像データへの変換が行われる。
【００６３】
図６は、カメラ１０１で撮影された画像データに対する画像処理を行ったり、カメラ１０１で撮影された画像データや画像処理が施された画像データを録画装置１０３に入力したりする際の接続状態を表している。
図６の例では、カメラ１０１の出力端子がＩＦ−ＢＯＸ６０１の入力端子に接続されており、カメラ１０１の出力端子から出力されたＲＡＷデータもしくはＬｏｇデータは、ＩＦ−ＢＯＸ６０１の入力端子に入力される。そして、ＩＦ−ＢＯＸ６０１によって、カメラ１０１から出力されたＲＡＷデータもしくはＬｏｇデータが、表示装置６０２で表示可能な画像データに変換される。
また、図６の例では、ＩＦ−ＢＯＸ６０１の出力端子が表示装置６０２の入力端子６０４に接続されており、ＩＦ−ＢＯＸ６０１の出力端子から出力された画像データ（上記変換によって生成された画像データ）は、入力端子６０４に入力される。そして、表示装置６０２によって、入力端子６０４に入力された画像データが、画像処理が施されて、表示される。
また、図６の例では、表示装置６０２の出力端子６０６が録画装置１０３の入力端子に接続されており、表示装置６０２の出力端子６０６から出力された画像データは、録画装置１０３の入力端子に入力される。
【００６４】
図７は、録画装置１０３で録画された画像データを再生し、表示装置６０２で確認する際の接続状態を表している。
図７の例では、録画装置１０３の出力端子が表示装置６０２の入力端子６０４に接続されており、録画装置１０３の出力端子から出力された画像データ（録画された画像データ）は、入力端子６０４に入力される。そして、表示装置６０２によって、入力端子６０４に入力された画像データが、画像処理が施されて、表示される。詳細は後述するが、本実施例でも、画像処理対象の画像データ（対象画像データ）の出力源である外部装置が切り替えられた場合には、画像処理パラメータの設定値が初期値にリセットされる。そのため、録画された画像データを表示装置６０２で確認する際には、画像処理パラメータの初期値を用いた画像処理が行われることとなり、不適切な画像処理が行われることはない。
なお、本実施例でも、対象画像データの出力源である外部装置が変更されていない場合には、画像処理パラメータの設定値が初期値にリセットされずに画像処理が行われる。
【００６５】
図８は、表示装置６０２の構成の一例を示すブロック図である。
図２と同じ機能部には同じ符号を付し、その説明は省略する。
入力端子６０４は、外部装置から出力された画像データが入力される端子である。換言すれば、入力端子６０４は、外部装置から出力された画像データを取得する。入力端子６０４で取得された画像データはレシーバー２０２とイコライザ２１１に出力される。
トランスミッタ８０１は、画像処理部２０３から出力された画像データ（画像処理が施された画像データ）を、出力用の画像データ（例えばＳＤＩ信号）に変換し、出力する。
セレクタ８０２は、トランスミッタ８０１から出力された画像データと、イコライザ２１１から出力された画像データとの一方を選択し、出力端子６０６に出力する。
出力端子６０６は、セレクタ８０２から出力された画像データを外部に出力する端子である。
【００６６】
図９は、表示装置６０２の動作の一例を示すフローチャートである。図９のフローチャートの開始時において、接続状態は、図６の状態である。図６の接続状態において、カメラ１０１で撮影された画像データに対する画像処理が行われる。また、画像データを録画装置１０３に出力する処理が行われる。
【００６７】
まず、画像処理部２０３が、レシーバー２０２から出力された画像データに対し、画像処理を施す（Ｓ９０１）。
【００６８】
具体的には、Ｓ９０１では、以下の処理が行われる。
【００６９】
まず、カメラ１０１から出力されたデータが、ＩＦ−ＢＯＸ６０１で画像データに変換され、入力端子６０４に入力される。
次に、入力端子６０４に入力された画像データ（カメラ１０１で撮影され、ＩＦ−ＢＯＸ６０１で変換処理が施された画像データ）が、レシーバー２０２に送られる。
そして、レシーバー２０２によって、入力端子６０４から出力された画像データがデコードされ、デコードされた画像データが画像処理部２０３に出力される。
次に、画像処理部２０３によって、上記デコードされた画像データに対し、画像処理が施される。このとき、実施例１と同様に、画像処理に使用する設定値（画像処理パラメータがの設定値）は、ユーザが操作部２０８を操作することで調整される。
そして、画像処理が施された画像データは、ＯＳＤ制御部２０４及びＬＣＤ制御部２０５で種々の処理が施された後、ＬＣＤ駆動部２０６に入力される。
次に、ＬＣＤ駆動部２０６がＬＣＤ２０７を駆動することにより、画像処理が施された画像データが画面に表示される。
【００７０】
また、画像処理部２０３で画像処理が施された画像データは、トランスミッタ８０１にも送られ、トランスミッタ８０１で出力用の画像データ（ＳＤＩ信号）へ変換された後、セレクタ８０２に送られる。
また、入力端子６０４に入力された画像データは、イコライザ２１１にも送られ、イコライザ２１１で信号調整処理が施された後、セレクタ８０２に送られる。
【００７１】
セレクタ８０２は、トランスミッタ８０１からの画像データとイコライザ２１１からの画像データとのいずれか一方の画像データを選択して出力端子６０６に出力する。出力端子６０６は、セレクタ８０２から出力された画像データを外部（録画装置１０３）に出力する。
セレクタ８０２は、操作部２０８からＣＰＵ２０９を介して入力された選択信号に応じて、画像データを選択する。選択信号は、ユーザが操作部２０８を用いて外部に出力する画像データを操作した場合に操作部２０８から出力される操作信号である。トランスミッタ８０１から出力された画像データは、画像処理部２０３で画像処理が施された後の画像データであり、イコライザ２１１から出力された画像データは、画像処理部２０３で画像処理が施される前の画像データである。ユーザは用途に応じて外部に出力する画像データを選択することができる。
本実施例では、初期状態において、イコライザ２１１から出力された画像データが選択され、入力端子６０４に入力された画像データと同じ画像データが出力端子６０６を介して外部に出力される。
【００７２】
ユーザは、操作部２０８を操作して画像処理パラメータの設定値を調整しながら、表示された画像データ（画像処理が施された画像データ）を確認する。
【００７３】
以上が、Ｓ９０１で行われる処理や操作である。
【００７４】
Ｓ９０１の次に、ＣＰＵ２０９が、外部に出力する画像データとして、トランスミッタ８０１からの画像データが選択されたか否かを判断する（Ｓ９０２）。上述したように、本実施例では、初期状態において、イコライザ２１１からの画像データが選択される。そのため、本実施例では、Ｓ９０２において、外部に出力する画像データをイコライザ２１１の出力からトランスミッタ８０１の出力に切り替えるユーザ操作が行われたか否かが判断される。セレクタ８０２でトランスミッタ８０１からの画像データが選択されることにより、画像処理が施された画像データが出力端子６０６から出力されることとなる。トランスミッタ８０１からの画像データが選択されるまでＳ９０２の処理が繰り返し行われ、トランスミッタ８０１からの画像データが選択された後にＳ９０３に処理が進められる。
【００７５】
そして、ＣＰＵ２０９が、ユーザが調整した設定値をメモリ２１０に格納する（Ｓ９０３）。
【００７６】
出力端子６０６から出力された画像データは、録画装置１０３において、録画用画像データ（録画対象の画像データ）として用いられたり、（画像処理部２０３での画像処理の意図等を把握するための）参照用画像データとして用いられたりする。
【００７７】
次に、ＣＰＵ２０９が、入力端子６０４に接続された外部装置が切り替えられた（変更された）か否かを判断する（Ｓ９０４）。Ｓ９０４の判断方法の詳細は、後述する。
外部装置が変更されたと判断されるまで、Ｓ９０４の処理が繰り返し行われ、外部装置が変更されたと判断された後、Ｓ９０５へ処理が進められる。本実施例では、図９のフローチャートの開始時において、接続状態は、図６の状態である。そして、図６の状態から図７の状態に接続状態が切り替えられた場合に、外部装置が変更されたと判断され、Ｓ９０５へ処理が進められる。図７の接続状態は、録画された画像データを確認するために、録画装置１０３の出力端子を表示装置６０２の入力端子６０４に接続した状態である。
【００７８】
接続状態が図７の状態に切り替えられると、録画装置１０３から出力された画像データ
が入力端子６０４に入力される。
次に、入力端子６０４に入力された画像データが、レシーバー２０２に送られる。
そして、レシーバー２０２によって、入力端子６０４から出力された画像データがデコードされ、デコードされた画像データが画像処理部２０３に出力される。
【００７９】
Ｓ９０５では、ＣＰＵ２０９が、画像処理パラメータの設定値を初期値にリセットする。本処理により、録画装置１０３から出力された画像データに不適切な画像処理が施されてしまうことを抑制することができる。具体的には、画像処理が施された画像データに、画像処理が再度施されてしまうことを防ぐことができる。即ち、画像データに画像処理が２重に施されてしまうことを防ぐことができる。また、自動的に設定値をリセットすることにより、ユーザが設定値を初期値に調整する手間を省くことができる。
【００８０】
次に、ＣＰＵ２０９が、画像処理パラメータの設定値を読み出すユーザ操作が行われたか否かを判断する（Ｓ９０６）。例えば、操作部２０８に読み出しスイッチが設けられており、読み出しスイッチを操作することで、設定値の読み出しが指示される。また、設定値を読み出すか否かをユーザに問い合わせるＯＳＤ画像が表示され、当該ＯＳＤ画像を用いたユーザ操作によって設定値の読み出しが指示されてもよい。設定値を読み出すユーザ操作が行われるまで、Ｓ９０６の処理が繰り返し行われ、設定値を読み出すユーザ操作が行われた後に、Ｓ９０７の処理へ処理が進められる。
【００８１】
Ｓ９０７では、ＣＰＵ２０９が、メモリ２１０から画像処理パラメータの設定値を読み出し、画像処理部２０３へ出力する。それにより、録画装置１０３から出力された画像データが、画像処理パラメータの設定値（初期値）を用いた画像処理が施されて、表示される。
なお、Ｓ９０６の処理が省略され、Ｓ９０５の処理の次にＳ９０７の処理が行われてもよい。
【００８２】
以下に、入力端子６０４に接続された外部装置が切り替えられたか否かの判断方法について説明する。
【００８３】
本実施例では、画像処理部２０３が、画像処理対象のＳＤＩ信号（処理対象の画像データである対象画像データを含むＳＤＩ信号）に、上述した画像処理と、付加データを付加する付加処理とを施す。
【００８４】
図１０は、レシーバー２０２でデコードされた後のＳＤＩ信号の構造を示す。図１０において、横軸はビット数、縦軸は時間（１マスが１クロック）を表す。
デコード後のＳＤＩ信号は２０ビットの信号で構成されており、１０ビットごとのデータストリームに分割されている。なお、ＳＤＩ信号は、コンテンツデータストリーム、又はＳＤＩデータストリームと呼んでもよい。
ＳＤＩ信号には、ＥＡＶ、ＡＮＣ、ＳＡＶ、Ａｃｔｉｖｅ  Ｖｉｄｅｏが順に格納されており、１組のＥＡＶ、ＡＮＣ、ＳＡＶ、及び、Ａｃｔｉｖｅ  Ｖｉｄｅｏの期間が、画像データの１水平同期期間に対応する。
ＥＡＶはＡｃｔｉｖｅ  Ｖｉｄｅｏの終了を表し、ＡＮＣはアンシラリーデータ（補助データ）を表し、ＳＡＶはＡｃｔｉｖｅ  Ｖｉｄｅｏの始まりを表し、Ａｃｔｉｖｅ  Ｖｉｄｅｏは有効画像（１ライン分の対象画像データ）を表す。
ＥＡＶ、ＳＡＶは、３ＦＦｈ，０００ｈ，０００ｈというデータの並びを検出することにより、判別される。
【００８５】
画像処理部２０３は、画像処理を行う際に、ＳＤＩ信号のＡＮＣに付加データを書き込むことにより、対象画像データに付加データを付加する。
図１１は、付加データとして、画像処理が実行済みであることを示す処理完了データが書き込まれたＳＤＩ信号の構造を示す。ＣＤＬ＿Ｆで示した部分（０ＡＡｈ、０ＡＡｈ、００１ｈというデータの並び）が、処理完了データである。
画像処理が施され、且つ、付加データ（処理完了データ）が付加された画像データは、トランスミッタ８０１、セレクタ８０２、及び、出力端子６０６を介して外部に出力される。具体的には、画像処理が施され、且つ、付加データ（処理完了データ）が書き込まれたＳＤＩ信号が、トランスミッタ８０１、セレクタ８０２、及び、出力端子６０６を介して外部に出力される。
なお、対象画像データに既に付加データが付加されている場合には、付加処理を省略してもよいし、付加データを更新してもよい。
【００８６】
また、画像処理部２０３は、対象画像データに付加データが付加されているか否かを判断し、判断結果をＣＰＵ２０９に出力する。
図１１の例では、画像処理部２０３は、ＳＤＩ信号のＡＮＣに０ＡＡｈ、０ＡＡｈ、００１ｈというデータの並びが含まれているか否かを判断する。ＳＤＩ信号のＡＮＣから０ＡＡｈ、０ＡＡｈ、００１ｈというデータの並びが検出された場合には、画像処理部２０３は、対象画像データに付加データが付加されていると判断する。そして、ＳＤＩ信号のＡＮＣから０ＡＡｈ、０ＡＡｈ、００１ｈというデータの並びが検出されなかった場合には、画像処理部２０３は、対象画像データに付加データが付加されていないと判断する。
【００８７】
そして、ＣＰＵ２０９は、対象画像データに付加データが付加されていた場合に、対象画像データの出力源である外部装置が変更されたと判断し、画像処理パラメータの設定値を初期値にリセットする。
【００８８】
以上の方法により、１つの入力端子に入力される画像データの出力源である外部装置の変更を検出することができる。
【００８９】
なお、付加データは、処理完了データに限らない。例えば、図１２に示すように、ＡＮＣに、処理完了データ以外の付加データ（ＣＤＬ＿Ｄで示した部分）が書き込まれてもよい。図１２の例では、ＡＮＣに処理完了データも書き込まれている。図１２に示すように複数種類の付加データが対象画像データに付加されてもよいし、１種類の付加データが対象画像データに付加されてもよい。
【００９０】
例えば、付加データとして、画像処理装置（表示装置６０２）を示す識別データが付加されてもよい。識別データは、表示装置６０２の機種番号（型番）、シリアル番号、などである。識別データを付加することにより、対象画像データが表示装置６０２で画像処理が施された画像データであるか否かを判断することができる。
識別データを用いれば、表示装置６０２で画像処理が施された画像データであるか否かを高精度に判断することができ、対象画像データの出力源である外部装置が変更されたか否かも高精度に判断することができる。
【００９１】
また、付加データとして、画像処理装置（表示装置６０２）で設定可能なパラメータの設定値が、コード化されて、付加されてもよい。例えば、ＤａｔａＳｔｒｅａｍ１の上位５ビットにＰＯＷＥＲの設定値が格納され、ＤａｔａＳｔｒｅａｍ１の下位５ビットにＳＡＴＵＲＡＴＩＯＮの設定値が格納されてもよい。そして、ＤａｔａＳｔｒｅａｍ２の上位５ビットにＯＦＦＳＥＴの設定値が格納され、ＤａｔａＳｔｒｅａｍ２の下位５ビットにＳＬＯＰＥが格納されてもよい。そのように設定値を付加（格納）することにより、４つのパラメータで５ビット分の付加データを伝送することができる。もちろん、図１２のＣＤＬ＿Ｄで示したデータ領域として複数クロック分のデータ領域が用意されれば、付加データのビット幅を増やすことも可能である。
このように、画像処理装置（表示装置６０２）で設定可能なパラメータの設定値として、画像処理パラメータの設定値が付加されれば、画像データに施されている画像処理で使用された調整値をユーザに提示することができる。
【００９２】
また、付加データとして、画像処理パラメータ以外（ＣＤＬパラメータ以外）のパラメータの設定値が、コード化されて、付加されてもよい。画像データを表示する際には、ＣＤＬパラメータ以外のパラメータが使用される。例えば、画像の精細度を調整するＳＨＡＲＰＮＥＳＳ、バックライト明るさを調整するＢＲＩＧＨＴＮＥＳＳ、などが使用される。これらのパラメータの設定値が、付加データとして付加されてもよい。
このような構成とすれば、画像処理が施された画像データを再度表示する際に、過去に使用されていた設定値（ＣＤＬパラメータ以外のパラメータの設定値）を画像処理部２０３やＬＣＤ制御部２０５での処理に反映させて、表示を行うことができる。即ち、画像処理が施された画像データを再度表示する際に、過去に使用されていた設定値（ＣＤＬパラメータ以外のパラメータの設定値）を用いて表示を行うことができる。その結果、過去の表示と同じ表示を再現することができる。
【００９３】
以上述べたように、本実施例によれば、付加データを用いることにより、対象画像データの出力源である外部装置の変更の検出精度を向上することができる。具体的には、１つの入力端子に入力される画像データの出力源である外部装置の変更を検出することができる。そして、本実施例によれば、対象画像データの出力源である外部装置が変更されたと判断された場合に、画像処理パラメータの設定値が自動で初期値にリセットされる。それにより、画像データに不適切な画像処理が施されてしまうことを抑制することができる。また、ユーザが設定値をリセットするという手間を省くことができる。
【００９４】
＜実施例３＞
実施例３では、１つの入力端子に入力される画像データの出力源である外部装置の変更を検出することができる他の構成を説明する。
なお、本実施例に係る画像処理装置（表示装置）の大まかな構成は、実施例２（図８）と同じである。
【００９５】
図１３は、本実施例に係る表示装置６０２の入力端子６０４部分の拡大図である。
【００９６】
ＳＤＩケーブル１３０１は、ＳＤＩ信号を伝送する同軸ケーブルである。外部装置から出力されたＳＤＩ信号（画像データ）が表示装置６０２に入力する際には、ＳＤＩケーブル１３０１の一端が外部装置の出力端子に接続され、他端が表示装置６０２の入力端子６０４に接続される。
【００９７】
検出スイッチ１３０２は、画像処理対象の画像データ（対象画像データ）が一時的に取得されなかった非取得期間を検出する。具体的には、検出スイッチ１３０２は、画像処理対象のＳＤＩ信号が一時的に取得されなかった期間を、非取得期間として検出する。本実施例では、検出スイッチ１３０２は、画像処理対象のＳＤＩ信号の出力源である外部装置と、表示装置６０２との接続状態に基づいて、上記出力源である外部装置が表示装置６０２から一時的に切断された期間を、非取得期間として検出する。具体的には、検出スイッチ１３０２は、上記出力源である外部装置の、表示装置６０２への接続を検出する。そして、検出スイッチ１３０２は、上記出力源である外部装置が表示装置６０２から一時的に切断された期間を、非取得期間として検出する。画像処理対象のＳＤＩ信号の出力源は、対象画像データの出力源ということもできる。より具体的には、検出スイッチ１３０２は、入力端子６０４へのＳＤＩケーブル１３０１の接続を検出する。そして、検出スイッチ１３０２は、ＳＤＩケーブル１３０１が入力端子６０４から一時的に切断された期間を、非取得期間として検出する。検出スイッチ１３０２としては、物理的なプッシュスイッチ
、光学的な検出スイッチ、などを用いることができる。
【００９８】
図１４は、本実施例に係る表示装置６０２の動作の一例を示すフローチャートである。
ＳＤＩケーブル１３０１と入力端子６０４が嵌合している場合は、検出スイッチ１３０２の状態がＯＮ状態になる。また、ＳＤＩケーブル１３０１と入力端子６０４が離れている場合は、検出スイッチ１３０２の状態がＯＦＦ状態になる。ＯＮ状態は、ＳＤＩケーブル１３０１の接続（外部装置の接続）が検出されている状態であり、ＯＦＦ状態は、ＳＤＩケーブル１３０１の接続が検出されていない状態である。
【００９９】
まず、ＣＰＵ２０９が、検出スイッチ１３０２によって非取得期間が検出されたか否かを判断する（Ｓ１４０１）。具体的には、検出スイッチ１３０２の状態がＯＮ状態からＯＦＦ状態に切り替わり、ＯＦＦ状態から再びＯＮ状態に切り替わった場合に、非取得期間が検出されたと判断され、それ以外の場合には非取得期間が検出されていないと判断される。非取得期間が検出されるまでＳ１４０１の処理が繰り返され、非取得期間が検出された後にＳ１４０２へ処理が進められる。
なお、検出スイッチ１３０２の状態がＯＮ状態からＯＦＦ状態に切り替わり、ＯＦＦ状態から再びＯＮ状態に切り替わった場合に、検出スイッチ１３０２から、非取得期間が検出されたことを示す検出情報が出力されてもよい。そして、ＣＰＵ２０９は、検出情報を用いて、非検出期間が検出されたか否かを判断してもよい。
【０１００】
Ｓ１４０２では、ＣＰＵ２０９が、上記出力源（画像処理対象のＳＤＩ信号の出力源）である外部装置の変更を行ったか否かをユーザに問い合わせる。具体的には、ＣＰＵ２０９が、問い合わせ画像を生成する指示をＯＳＤ制御部２０４に出力する。問い合わせ画像は、上記出力源である外部装置の変更を行ったか否かを問い合わせるＯＳＤ画像である。上記指示を行うことにより、問い合わせ画像が画面に表示される。
【０１０１】
次に、ユーザは、上記問い合わせ画像を操作して、上記出力源である外部装置の変更を行ったか否かを応答する。そして、ＣＰＵ２０９が、上記出力源である外部装置の変更を行ったとユーザが応答したか否かを判断する（Ｓ１４０３）。ユーザの応答結果は、例えば、操作部２０８からの操作信号に基づいて判断される。上記出力源である外部装置の変更を行ったとユーザが応答した場合には、Ｓ１４０４に処理が進められる。
【０１０２】
Ｓ１４０４では、ＣＰＵ２０９が、上記出力源である外部装置が変更されたと判断し、画像処理パラメータの設定値を初期値にリセットする。即ち、上記出力源である外部装置の変更を行っていないとユーザが応答した場合に、画像処理パラメータの設定値が初期値にリセットされる。
上記出力源である外部装置の変更を行っていないとユーザが応答した場合には、設定値のリセットは行われずに、本フローが終了される。
【０１０３】
以上述べたように、本実施例によれば、非取得期間が検出された場合に、ユーザへの問い合わせが行われる。そして、ユーザからの応答に応じて、対象画像データの出力源（画像処理対象のＳＤＩ信号の出力源）である外部装置が変更されたか否かが判断される。それにより、１つの入力端子に入力される画像データの出力源である外部装置の変更を検出することができる。
また、本実施例によれば、装置の接続状態（ケーブルの抜き差し）を検出するという簡易な構成で、対象画像データの出力源である外部装置が変更されたか否かを判断することができる。
【０１０４】
なお、画像データを伝送するケーブル以外のケーブルの接続状態に応じて、リセット処理が行われてもよい。例えば、ＵＳＢのインターフェイスにキャリブレーションセンサー
が接続されたときに、リセット処理が行われてもよい。
【０１０５】
なお、本実施例では、対象画像データの出力源である外部装置の変更を行ったか否かをユーザに問い合わせたが、そのような問い合わせは行われなくてもよい。非取得期間が検出された場合に、ユーザへの問い合わせを行わずに、対象画像データの出力源である外部装置が変更されたと判断し、画像処理パラメータの設定値を初期値にリセットしてもよい。
【０１０６】
なお、本実施例では、装置の接続状態に基づいて非取得期間を検出する例を説明したが、非取得期間の検出方法はこれに限らない。
例えば、対象画像データ（画像処理対象のＳＤＩ信号）の入力状態に基づいて、対象画像データの入力が一時的に途絶えた期間が、非取得期間として検出されてもよい。換言すれば、画像信号、同期信号、及び、クロック信号が入力されていない無入力期間が一時的に存在した場合に、当該無入力期間が非取得期間として検出されてもよい。
そして、対象画像データの入力状態が「入力あり」から「入力なし」に変化した後、「入力なし」から「入力あり」に再び変化した場合に、非取得期間が検出されたと判断されてもよい。「入力あり」は、対象画像データが入力されている状態であり、「入力なし」は、対象画像データが入力されていない状態である。
【０１０７】
このように、新たなスイッチを設けなくても、表示装置６０２の対象画像データの入力状態から非取得期間を検出することができる。対象画像データの入力状態に基づいて非取得期間を検出する処理は、入力端子６０４、レシーバー２０２、画像処理部２０３、ＣＰＵ２０９、などで行うことができる。また、対象画像データの入力を監視し、対象画像データの入力状態に基づいて非取得期間を検出する検出部がさらに設けられていてもよい。
【０１０８】
但し、対象画像データの入力状態に基づいて非取得期間を検出する場合、外部装置の変更が行われた可能性が低い期間が非取得期間として検出されてしまうことがある。具体的には、対象画像データの入力が一時的に途絶えた期間のうち、長さが短い期間では、外部装置の変更が行われた可能性は低い。そこで、対象画像データの入力が一時的に途絶えた期間（「入力なし」の期間）のうち、長さが閾値以上の期間が、非取得期間として検出されることが好ましい。閾値は予め定められた固定値であってもよいし、ユーザが変更可能な値であってもよい。
【０１０９】
また、表示装置６０２の電源状態に基づいて、表示装置６０２の電源が一時的に落とされた期間が非取得期間として検出されてもよい。そして、表示装置６０２の電源状態がＯＮ状態からＯＦＦ状態に切り替わり、ＯＦＦ状態からＯＮ状態に再び切り替わった場合に、非取得期間が検出されたと判断されてもよい。
【０１１０】
＜実施例４＞
実施例１〜３、及び、後述する実施例５の方法は、画像処理対象の画像データ（対象画像データ）が動画像のデータであっても静止画像のデータであっても適用できる。実施例４では、対象画像データが動画像のデータであり、対象画像データにタイムコード（動画像内におけるフレームの時間位置を示すデータ）が付加されている場合の例を説明する。
なお、本実施例に係る画像処理装置（表示装置）の大まかな構成は、実施例２（図８）と同じである。
【０１１１】
図１５は、タイムコードが付加された画像データの構造の一例を示す。具体的には、図１５は、タイムコードを含むＳＤＩ信号の構造の一例を示す。図１５では、ＥＡＶの直後（ＡＮＣの最初）にタイムコードが記述（重畳）されている。図１５のＴＩＭＥ  ＣＯＤＥは画像データのタイムコードを示し、Ｈは時間、Ｍは分、Ｓは秒、Ｆはフレーム番号を
表す。
タイムコードは、水平同期信号毎（ライン毎）に付加されている必要はない。垂直同期信号毎（フレーム毎）に１つのタイムコードが付加されていればよい。したがって、垂直同期信号のＡＮＣにタイムコードが記述されていればよい。
【０１１２】
図１６は、対象画像データのタイムコードの時間変化の一例を示す図である。
時間の経過によってタイムコードの状態が状態１から状態７へ変化する。図１６において、「タイムコード」の欄に記載の数字は、対象画像データの時間位置（時間：分：秒：フレーム番号）を表している。“＞”は、タイムコードが連続変化している状態を表している。
なお、図１６の例では、フレーム番号は、１秒ごとに０にリセットされているものとする。
【０１１３】
状態１では、対象画像データのタイムコードが００：００：００：００である。即ち、状態１では、対象画像データは、動画像の最初のフレームの画像データである。
状態２では、対象画像データのタイムコードが００：００：００：００、００：００：００：０１、００：００：００：０２、、、というように連続変化している。
状態３では、対象画像データのタイムコードが０１：００：００：００である。即ち、状態３では、対象画像データは、動画像の開始から１時間後のフレームの画像データである。
【０１１４】
状態４では、対象画像データのタイムコードが００：５６：００：００であり、タイムコードが状態３から不連続に変化している。状態３から状態４にかけて、画像処理対象のフレームの時間位置が４分だけ遡っている。
状態５では、対象画像データのタイムコードが００：５６：００：００、００：５６：００：０１、００：５６：００：０２、、、というように連続変化している。
状態６では、対象画像データのタイムコードが０１：００：００：００である。即ち、状態６では、対象画像データは、動画像の開始から１時間後のフレームの画像データである。
【０１１５】
状態７では、対象画像データのタイムコードが００：００：０１：００であり、タイムコードが状態６から不連続に変化している。状態６から状態７にかけて、画像処理対象のフレームの時間位置が５９分も遡っている。このようなタイムコードの大きな不連続変化は、対象画像データの出力源である外部装置の変更により発生した可能性が高い。
【０１１６】
対象画像データの出力源である外部装置が変更されると、タイムコードの不連続な変化が発生する。
しかし、タイムコードの小さな不連続変化は、動画像の早送りや巻き戻しを行うことにより発生した変化である可能性が高く、対象画像データの出力源である外部装置の変更により発生した可能性は低い。具体的には、状態３から状態４にかけて発生したタイムコードの不連続変化は、動画像の巻き戻しを行うことにより発生した変化である可能性が高く、対象画像データの出力源である外部装置の変更により発生した可能性は低い。
また、タイムコードが連続変化する期間でも、対象画像データの出力源である外部装置が変更された可能性は低い。
【０１１７】
そこで、本実施例では、タイムコードが連続変化する期間、及び、タイムコードの小さな不連続変化の発生時には、対象画像データの出力源である外部装置が変更されていないと判断し、画像処理パラメータの設定値はリセットしない。その結果、図１６の状態１〜状態６の期間では、画像処理パラメータの設定値が初期値にリセットされずに画像処理が行われる。例えば、状態１〜６の期間では、画像処理パラメータの設定値を調整する操作
が行われていると判断され、設定値が初期値にリセットされずに画像処理が行われる。
【０１１８】
一方、タイムコードの大きな不連続変化は、対象画像データの出力源である外部装置の変更により発生した可能性が高い。具体的には、状態６から状態７にかけて発生したタイムコードの不連続変化は、対象画像データの出力源である外部装置の変更により発生した可能性が高い。
【０１１９】
そこで、本実施例では、タイムコードの大きな不連続変化の発生時に、対象画像データの出力源である外部装置が変更されたと判断し、画像処理パラメータの設定値がリセットされる。タイムコードを用いた判断（対象画像データの出力源である外部装置が変更されたか否かの判断）及びリセット処理は、他の実施例と同様に、ＣＰＵ２０９で行われる。具体的には、ＣＰＵ２０９は、画像処理対象のフレームの時間位置と直前に画像処理対象とされたフレームの時間位置との差が所定値以上である場合に、画像処理対象の画像データの出力源である外部装置が変更されたと判断する。そして、ＣＰＵ２０９は、画像処理パラメータの設定値を初期値にリセットする。
【０１２０】
以上述べたように、本実施例によれば、タイムコードを用いて、対象画像データの出力源である外部装置が変更されたか否かが判断される。それにより、１つの入力端子に入力される画像データの出力源である外部装置の変更を検出することができる。
【０１２１】
なお、タイムコードと、画像処理パラメータの設定値とが関連付けてメモリ２１０に記録されてもよい。そのような構成とすれば、設定すべき調整値をタイムコードから判断し、自動で調整値を設定して画像処理を行うことができる。
【０１２２】
＜実施例５＞
外部装置では、画像データを出力する際に、画像データに、自装置を示す外部装置識別データが付加されることがある。実施例５では、カメラ１０１から出力された画像データに、カメラ１０１に関するカメラ情報が付加されている場合の例を説明する。
なお、本実施例では、録画装置１０３では外部装置識別データの付加は行われないものとする。
また、本実施例に係る画像処理装置（表示装置）の大まかな構成は、実施例２（図８）と同じである。
【０１２３】
図１７は、カメラ情報が付加された画像データの構造の一例を示す図である。具体的には、図１７は、カメラ１０１から出力されたＳＤＩ信号の構造の一例を示す図であり、カメラ情報を含むＳＤＩ信号の構造の一例を示す図である。
ＣＭＲ＿Ｆはカメラ情報のフラグを表し、ＣＭＲ＿Ｄはカメラ情報を表している。具体的には、カメラ情報のフラグとして、０ＥＥｈ、０ＥＥｈ、００１ｈというデータの並びが記述されている。カメラ情報としては、カメラ１０１の型番、シリアル番号、画像データの撮影時に使用されたレンズの情報、などが記述されている。
【０１２４】
本実施例では、画像処理部２０３は、画像処理対象の画像データ（対象画像データ）に、画像処理と、対象画像データの出力源である外部装置を示す外部装置識別データを削除する削除処理とを施す。具体的には、画像処理部２０３は、画像処理対象のＳＤＩ信号に、画像処理と、画像処理対象のＳＤＩ信号の出力源である外部装置を示す外部装置識別データを削除する削除処理とを施す。また、画像処理部２０３は、対象画像データに外部装置識別データが付加されているか否かを判断し、判断結果をＣＰＵ２０９に出力する。
図１７の例では、画像処理部２０３は、ＳＤＩ信号のＡＮＣに０ＥＥｈ、０ＥＥｈ、００１ｈというデータの並びが含まれているか否かを判断する。そして、ＳＤＩ信号のＡＮＣから０ＥＥｈ、０ＥＥｈ、００１ｈというデータの並びが検出された場合には、画像処
理部２０３は、対象画像データに外部装置識別データが付加されていると判断し、外部装置識別データを削除する。具体的には、ＣＭＲ＿ＦとＣＭＲ＿Ｄが削除される。また、ＳＤＩ信号のＡＮＣから０ＥＥｈ、０ＥＥｈ、００１ｈというデータの並びが検出されなかった場合には、画像処理部２０３は、対象画像データに外部装置識別データが付加されていないと判断する。
【０１２５】
そして、ＣＰＵ２０９は、対象画像データに外部装置識別データが付加されていなかった場合に、上記出力源（画像処理対象のＳＤＩ信号の出力源）である外部装置が変更されたと判断し、画像処理パラメータの設定値を初期値にリセットする。対象画像データに外部装置識別データが付加されていた場合には、画像処理パラメータの設定値が初期値にリセットされずに画像処理が行われる。
【０１２６】
以上述べたように、本実施例によれば、外部装置識別データを用いて、対象画像データの出力源（画像処理対象のＳＤＩ信号の出力源）である外部装置が変更されたか否かが判断される。それにより、１つの入力端子に入力される画像データの出力源である外部装置の変更を検出することができる。
【０１２７】
なお、対象画像データに付加されていた外部装置識別データと、当該対象画像データ用の調整値（ＣＤＬパラメータの値）とが関連付けてメモリ２１０に記録されてもよい。
そのため、外部装置識別データと調整値を関連付けて記録すれば、表示装置６０２に過去に入力されたことのある画像データが、表示装置６０２に再度入力された場合に、過去に使用された調整値と同じ調整値を設定して画像処理を行うことができる。その結果、過去の表示と同じ表示を再現することができる。対象画像データの出力源である外部装置がカメラ１０１から録画装置１０３に切り替えられた後、録画装置１０３からカメラ１０１に再度切り替えられたとする。外部装置識別データと調整値を関連付けてメモリ２１０に記録されていれば、カメラ１０１からの画像データに対して、録画装置１０３への切り替え前に設定された調整値（カメラ１０１からの画像データ用の調整値）を用いた画像処理を施すことができる。
【０１２８】
なお、同じ種類の複数の外部装置であっても、外部装置間で外部装置識別データが異なっていれば、複数の外部装置を判別することができる。例えば、カメラＡから出力された画像データに付加されたＣＭＲ＿Ｄが００１ｈであり、カメラＢから出力された画像データに付加されたＣＭＲ＿Ｄが００２ｈであるとする。この場合、ＣＭＲ＿Ｄから、画像データの出力源がカメラＡであるかカメラＢであるかを判別することができる。同じ種類の複数の外部装置であっても、外部装置間で外部装置識別データが異なっていれば、装置毎に調整値が管理できるため、過去に使用された調整値と同じ調整値を用いた画像処理をより確実に行うことができる。
【０１２９】
また、ＣＭＲ＿Ｄを階層管理することにより、撮影時に使用したレンズなどの情報を外部装置識別データに含めることができる。
階層管理方法としてはＤａｔａＳｔｒｅａｍごとに管理する方法や、ＣＭＲ＿Ｄを複数のクロックに分けて管理する方法がある。
ＤａｔａＳｔｒｅａｍごとに管理する方法では、例えば、ＤａｔａＳｔｒｅａｍ１にカメラの機種情報が格納され、ＤａｔａＳｔｒｅａｍ２にレンズ情報が格納される。
複数のクロックに分けて管理する方法では、例えば、ＣＭＲ＿Ｆの次のクロックにカメラの機種情報が格納され、ＣＭＲ＿Ｆから２つ目以降のクロックにはレンズ情報が格納される。
機種情報以外の情報を外部装置識別データに含めることにより、画像データの判別を精度良く行うことが可能となる。例えば、同じカメラから出力された複数の画像データであもっても、レンズ情報が互いに異なる場合には、互いに異なる画像データとして判別する
ことができる。その結果、過去に使用された調整値と同じ調整値を用いた画像処理をより確実に行うことができる。
【０１３０】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【０１３１】
１０２，６０２  表示装置
１０４  第１入力端子
１０５  第２入力端子
２０３  画像処理部
２０９  ＣＰＵ
６０４  入力端子
【図１】
2015088885.tif 000003
【図２】
2015088885.tif 000004
【図３】
2015088885.tif 000005
【図４】
2015088885.tif 000006
【図５】
2015088885.tif 000007
【図６】
2015088885.tif 000008
【図７】
2015088885.tif 000009
【図８】
2015088885.tif 000010
【図９】
2015088885.tif 000011
【図１０】
2015088885.tif 000012
【図１１】
2015088885.tif 000013
【図１２】
2015088885.tif 000014
【図１３】
2015088885.tif 000015
【図１４】
2015088885.tif 000016
【図１５】
2015088885.tif 000017
【図１６】
2015088885.tif 000018
【図１７】
2015088885.tif 000019